(57)【要約】【課題】衣服からの落下を防止することができる服内環境冷却装置を提供する。【解決手段】服内環境冷却装置１は、衣服に設けられた１対のテープ及び１対の務歯を備える線ファスナー８を、服内環境冷却装置の第１の位置Ｘ１から第２の位置Ｘ２まで挿通するための１対の溝部２を備え、１対の溝部２は、線ファスナー８のテープ８１を挿通するためのテープ挿通部２１と、線ファスナーの務歯８２を挿通するため務歯挿通部２２とをそれぞれ有し、テープ挿通部２１は、溝部２の幅方向の断面において、務歯挿通部２２から服内環境冷却装置１の外部まで連通しており、テープ挿通部２１の幅Ｗ１は、線ファスナー８のテープの厚さＴより大きく、線ファスナー８の務歯の幅Ｗ２より小さく、務歯挿通部２２の幅は、線ファスナー８の務歯の幅Ｗ３より大きいことを特徴とする。【選択図】図１
2019151960.tif 000002
【特許請求の範囲】
【請求項１】
衣服の外部に配置され、外部の空気を取り込む空気取込口と、
衣服と該衣服を装着した人体の間の衣服内空間に配置され、前記空気取込口から取り込まれた空気を該衣服内空間に排出する空気排出口と、
前記空気取込口から前記空気排出口に向かう空気流を生成する気流発生手段と、を備えた服内環境冷却装置であって、
衣服に設けられた１対のテープ及び１対の務歯を備える線ファスナーを、服内環境冷却装置の第１の位置から第２の位置まで挿通するための１対の溝部を備え、１対の前記溝部は、前記線ファスナーのテープを挿通するためのテープ挿通部と、前記線ファスナーの務歯を挿通するため務歯挿通部とをそれぞれ有し、前記テープ挿通部は、前記溝部の幅方向の断面において、
前記務歯挿通部から服内環境冷却装置の外部まで連通しており、前記テープ挿通部の幅は、前記線ファスナーのテープの厚さより大きく、前記線ファスナーの務歯の幅より小さく、前記務歯挿通部の幅は、前記線ファスナーの務歯の幅より大きいことを特徴とする。
【請求項２】
請求項１に記載の服内環境冷却装置において、
前記線ファスナーの引手に設けられた孔を係止してファスナーの引手を固定する突起部を備えることを特徴とする。
【請求項３】
請求項１又は請求項２に記載の服内環境冷却装置において、
液体を貯蔵する第１の液体貯蔵部と、前記第１の液体貯蔵部に貯蔵された液体を使って霧を発生させ、前記空気流に霧を供給する霧発生手段と、を備えることを特徴とする。
【請求項４】
請求項１乃至請求項３のいずれかに記載の服内環境冷却装置において、
前記霧発生手段は、超音波振動子タイプの霧発生装置であることを特徴とする。
【請求項５】
請求項１乃至請求項４のいずれかに記載の服内環境冷却装置において、
前記第１の液体貯蔵部は、前記第１の液体貯蔵部に液体を注入するための液体注入口を備える。
【請求項６】
請求項１乃至請求項５のいずれかに記載の服内環境冷却装置において、
前記第１の液体貯蔵部は服内環境冷却装置の本体と一体的に形成されており、かつ、服内環境冷却装置の本体からは独立し、前記第１の液体貯蔵部より容積が大きい第２の液体貯蔵部と、前記第１の液体貯蔵部と第２の液体貯蔵部を連結して、第２の液体貯蔵部から前記第１の液体貯蔵部に液体を輸送するための液体輸送管と、を備えることを特徴とする。
【請求項７】
請求項１乃至請求項６のいずれかに記載の服内環境冷却装置において、
前記空気排出口の近傍に、前記空気排出口から排出された空気流の方向を変えるラッパ状の分流板を備えることを特徴とする。
【請求項８】
請求項１乃至請求項７のいずれかに記載の服内環境冷却装置において、
前記霧発生手段の霧発生面と対向する位置まで前記分流板が延伸されていることを特徴とする。
【請求項９】
請求項１乃至請求項８のいずれかに記載の服内環境冷却装置であって、
服内環境冷却装置を衣服のベルトに引っ掛けるための、下方に向けて開口を有するフック状のベルト装着用部材を備えることを特徴とする服内環境冷却装置。
【請求項１０】
請求項１乃至請求項９のいずれかに記載の服内環境冷却装置であって、
通信端末と通信するための通信手段と、前記通信手段により入力された制御信号に基づき、前記気流発生手段及び／又は前記霧発生手段の動作を制御する制御手段とを更に備えることを特徴とする服内環境冷却装置。
【請求項１１】
請求項１乃至請求項１０のいずれかに記載の服内環境冷却装置であって、
前記液体貯蔵部に貯蔵された液体が、香水又は薬剤を含むことを特徴とする服内環境冷却装置。
【発明の詳細な説明】
【技術分野】
【０００１】  本発明は、衣服の内側の温度を冷却するための服内環境冷却装置に関するものである。
【背景技術】
【０００２】  従来から、衣服の内側の温度を冷却するために、服地部に取り付けられたファンを備える空調衣服が知られている（例えば、特許文献１参照）。【０００３】  しかしながら、従来の空調衣服では、衣服に服内環境冷却装置を取り付けるための開口を、服内環境冷却装置の形状に応じて設け、服内環境冷却装置に衣服の生地を挟み込む挟持部を設けて、開口の縁部を挟持部で挟み込んで、衣服に服内環境冷却装置を取り付ける構造であったため、衣服又は服内環境冷却装置に強い力が働くと、衣服が挟持部から抜け出て服内環境冷却装置が落下する虞があった。
【先行技術文献】
【特許文献】
【０００４】
【特許文献１】特開２００６−３０７３５４号公報
【発明の概要】
【発明が解決しようとする課題】
【０００５】  本発明は上記課題を解決するためになされたものであり、より確実に衣服からの落下を防止することができる服内環境冷却装置を提供することを目的とする。
【課題を解決するための手段】
【０００６】  上記課題を解決するために、本発明にかかる服内環境冷却装置は、衣服の外部に配置され、外部の空気を取り込む空気取込口と、衣服と該衣服を装着した人体の間の衣服内空間に配置され、前記空気取込口から取り込まれた空気を該衣服内空間に排出する空気排出口と、前記空気取込口から前記空気排出口に向かう空気流を生成する気流発生手段と、を備えた服内環境冷却装置であって、衣服に設けられた１対のテープ及び１対の務歯を備える線ファスナーを、服内環境冷却装置の第１の位置から第２の位置まで挿通するための１対の溝部を備え、１対の前記溝部は、前記線ファスナーのテープを挿通するためのテープ挿通部と、前記線ファスナーの務歯を挿通するため務歯挿通部とをそれぞれ有し、前記テープ挿通部は、前記溝部の幅方向の断面において、前記務歯挿通部から服内環境冷却装置の外部まで連通しており、前記テープ挿通部の幅は、前記線ファスナーのテープの厚さより大きく、前記線ファスナーの務歯の幅より小さく、前記務歯挿通部の幅は、前記線ファスナーの務歯の幅より大きいことを特徴とする。【０００７】  ここで、服内環境冷却装置は、前記線ファスナーの引手に設けられた孔を係止してファスナーの引手を固定する突起部を備えることが好ましい。【０００８】  また、液体を貯蔵する第１の液体貯蔵部と、前記第１の液体貯蔵部に貯蔵された液体を使って霧を発生させ、前記空気流に霧を供給する霧発生手段と、を備えることが好ましい。【０００９】  また、前記霧発生手段は、超音波振動子タイプの霧発生装置であることが好ましい。【００１０】  また、前記第１の液体貯蔵部は、前記第１の液体貯蔵部に液体を注入するための液体注入口を備えることが好ましい。【００１１】  また、前記第１の液体貯蔵部は服内環境冷却装置の本体と一体的に形成されており、かつ、服内環境冷却装置の本体からは独立し、前記第１の液体貯蔵部より容積が大きい第２の液体貯蔵部と、前記第１の液体貯蔵部と第２の液体貯蔵部を連結して、第２の液体貯蔵部から前記第１の液体貯蔵部に液体を輸送するための液体輸送管と、を備えることが好ましい。【００１２】  また、前記空気排出口の近傍に、前記空気排出口から排出された空気流の方向を変えるラッパ状の分流板を備えることが好ましい。【００１３】  前記霧発生手段の霧発生面と対向する位置まで前記分流板が延伸されていることが好ましい。【００１４】  服内環境冷却装置を衣服のベルトに引っ掛けるための、下方に向けて開口を有するフック状のベルト装着用部材を備えることが好ましい。【００１５】  また、通信端末と通信するための通信手段と、前記通信手段により入力された制御信号に基づき、前記気流発生手段及び／又は前記霧発生手段の動作を制御する制御手段とを更に備えることが好ましい。【００１６】  また、前記液体貯蔵部に貯蔵された液体が、香水又は薬剤を含むことが好ましい。
【発明の効果】
【００１７】  本発明の服内環境冷却装置は、服内環境冷却装置の溝部に衣服のファスナーが挿通された状態で、溝部によってファスナーが係止されるので、衣服又は服内環境冷却装置に強い力が働いた場合であっても、衣服から服内環境冷却装置が抜け落ちることを防止することができる。
【図面の簡単な説明】
【００１８】
【図１】本発明にかかる服内環境冷却装置を線ファスナーに取り付けた状態を示す斜視図であり、（ａ）は正面側から見た図であり、（ｂ）は背面側から見た図。
【図２】同装置を衣服に取り付けた状態で側方からみた断面図。
【図３】同装置が取り付けられる衣服の斜視図。
【図４】同衣服に取り付けられる線ファスナーの斜視図。
【図５】同装置の溝部に衣服の線ファスナーを挿通するプロセスを説明する斜視図であり、（ａ）は一方のテープの先端に設けられた蝶棒が溝部に挿通される前の状態、（ｂ）は、一方のテープの先端に設けられた蝶棒が溝部に挿通された状態で、他方のテープの先端に設けられた蝶棒が溝部に挿通される前の状態を示す図。
【図６】同装置の溝部に衣服の線ファスナーを挿通した状態を示す断面図。
【図７】同装置の第２の部材の突起部で線ファスナーの引手に設けられた孔を係止した状態を示す斜視図。
【図８】同装置に第２の液体貯蔵部と電源ユニットを接続した状態を示す斜視図。
【図９】同装置に第２の液体貯蔵部と電源ユニットを接続した状態で、同装置を衣服に取り付けた状態を示す斜視図。
【図１０】同装置の分解斜視図であり、（ａ）は同装置を正面側から斜めに見た図であり、（ｂ）は背面側から斜めに見た図である。
【図１１】同装置の第１の部材の本体部とリング状部材を組み立てるプロセスを説明する斜視図であり、（ａ）は第１の部材を背面側から斜めに見た図であり、（ｂ）は正面側から斜めに見た図である。
【図１２】同装置の第１の部材を縦方向に切断した斜視図。
【図１３】同装置の第１の部材を衣服の線ファスナーで固定するプロセスを説明する正面図。
【図１４】同装置を線ファスナーを用いて衣服に取り付ける方法を説明する斜視図であり、（ａ）は第１の部材を線ファスナーで固定した状態で第２の部材を第１の部材に取り付ける前の状態、（ｂ）は第２の部材を第１の部材に取り付けた状態で、第３の部材を取り付ける前の状態を示す図である。
【図１５】同装置を、開口を設けた衣服に、線ファスナーを用いずに取り付ける方法を説明する斜視図であり、（ａ）は同装置を衣服に取り付ける前の状態、（ｂ）は同装置の第１の部材の円筒状部を衣服の開口に挿入した状態、（ｃ）は同装置を衣服に取り付けた状態を示す図である。
【図１６】同装置を衣服に装着しせず、ファスナーを閉じた状態の示す図である。
【図１７】同装置を衣服に装着する状態の示す図である。
【発明を実施するための形態】
【００１９】  本願にかかる服内環境冷却装置の図面を参照しつつ説明する。
図１及び図２に示すように、服内環境冷却装置１は、衣服Ｃの外部に配置され、外部の空気を取り込む空気取込口１１と、衣服Ｃと該衣服Ｃを装着した人体Ｈの間の衣服内空間Ｓに配置され、空気取込口１１から取り込まれた空気を衣服内空間Ｓに排出する空気排出口１２と、空気取込口１１から空気排出口１２に向かう空気流を生成するファン（気流発生手段）１３とを備えている。なお、図２においては、後述するベルト装着用部材５２を省略して示している。
【００２０】  図３，図４に示すように、衣服Ｃは、線ファスナー８が取り付けられた切り目８０を備えている。服内環境冷却装置１は、線ファスナー８に取り付けられる。線ファスナー８は、１対のテープ８１と、１対の務歯８２と、１対のスライダー８３と、１対の蝶棒８４と、１対の箱８５とを備えている。本実施形態においては、いわゆる頭合わせの線ファスナー８を用いており、線ファスナー８の両端において、蝶棒８４とスライダー８３及び箱８５が分離できるようになっている。なお、衣服Ｃに対する線ファスナー８の設置方向は、図３に示すような横方向でなくてもよく、縦方向であってもよいし、斜め方向であってもよい。また、図３では衣服Ｃに２つの線ファスナー８を設置した場合を示したが、設置する線ファスナー８の数は１つであってもよいし、３つ以上であってもよい。
【００２１】  図５（ａ），（ｂ）及び図６と図１２に示すように、服内環境冷却装置１は、線ファスナー８を、服内環境冷却装置の第１の位置Ｘから第２の位置Ｙまで挿通するための１対の溝部２を備えている。本実施形態では、上側に配置された溝部２を、線ファスナー８の第１の位置Ｘから挿入して第２の位置Ｙから引き出し、下側に配置された溝部２を、線ファスナー８の第２の位置Ｙから挿入して第１の位置Ｘから引き出した例を示している。１対の溝部２は、線ファスナー８のテープ８１を挿通するためのテープ挿通部２１と、線ファスナー８の務歯８２を挿通するため務歯挿通部２２とをそれぞれ有している。
【００２２】  図６及び図１２に示すように、テープ挿通部２１は、溝部２の幅方向の断面において、務歯挿通部２２から服内環境冷却装置１の外部まで連通している。テープ挿通部２１の幅Ｗ１は、線ファスナー８のテープ８１の厚さＴより大きく、線ファスナー８の務歯８２の幅Ｗ２より小さく、務歯挿通部２２の幅Ｗ３は、線ファスナー８の務歯８２の幅Ｗ２より大きくなっている。
【００２３】  このような構造の服内環境冷却装置１によれば、服内環境冷却装置１の溝部２に線ファスナー８が挿通された状態で、溝部２によって線ファスナー８が係止されるので、例えば高所作業の現場等で衣服Ｃ又は服内環境冷却装置１に強い力が働いた場合であっても、衣服Ｃから服内環境冷却装置１が抜け落ちることを防止することができる。
【００２４】  また、本発明に係る服内環境冷却装置１では、線ファスナー８を用いて服内環境冷却装置１を取り付けるため、線ファスナー８の長さ方向の任意の位置に服内環境冷却装置１の取り付け位置を調整することが可能となる。
【００２５】  また、従来の空調衣服では、衣服に服内環境冷却装置を取り付けるための開口を、服内環境冷却装置の形状に応じて設け、服内環境冷却装置に衣服の生地を挟み込む挟持部を設けて、開口の縁部を挟持部で挟み込んで、衣服に服内環境冷却装置を取り付ける構造であったため、服内環境冷却装置を衣服から取り外した状態では開口が開いたままとなり、服内環境冷却装置を取り外した状態では通常の衣服として着用することができなかったが、図１６に示すように本発明に係る服内環境冷却装置１では、服内環境冷却装置１を取り外した際、線ファスナー８を閉じることにより切り目８０を塞ぐことができるので、服内環境冷却装置１を衣服Ｃから取り外した状態でも通常の衣服として着用することが可能となる。また、衣服Ｃへの線ファスナー８の取り付けは、衣服製造の際に一般的に行われる工程であるため、衣服Ｃの製造プロセスを大きく変更する必要もなく、コスト的なメリットも大きい。
【００２６】  図７に示すように、服内環境冷却装置１は、線ファスナー８のスライダー８３の引手８３ａに設けられた孔８３ｂを係止してスライダー８３の引手８３ａを固定する突起部４１を備えている。引手８３ａを突起部４１に固定することによって、より確実に衣服Ｃからの服内環境冷却装置１の抜け落ちを防止することができる。
【００２７】  また、図１及び図２に示すように、服内環境冷却装置１は、液体を貯蔵する第１の液体貯蔵部１４と、第１の液体貯蔵部１４に貯蔵された液体を使って霧を発生させ、空気流に霧を供給する霧発生手段１５と、を備えている。従来の服内環境冷却装置では、人体から出た汗を気化させることによって、衣服内空間の温度を冷却していたが、本発明に係る服内環境冷却装置１では、人体から出た汗の代わりに、霧発生手段１５で発生した霧が気化する際の気化熱によって衣服内空間Ｓの温度を冷却するので、人体内の水分を過剰に消費することがない。例えば、砂漠など、高熱乾燥地域で生活している人の衣服のデザインは身体の水分を確保する為に頭から足まで覆うようなデザインが一般的であるが、本発明の服内環境冷却装置１を取り付けた衣服を使用すれば霧発生手段１５から水分補給することができるので、高熱乾燥地域の服装に、より幅広いデザインの選択肢を提供することができ、機能性やファッション性を高めることができる。
【００２８】  霧発生手段１５は、超音波振動子タイプの霧発生装置であることが好ましい。超音波振動子タイプの霧発生装置１５は、円板状の圧電セラミックスを振動源として、高周波の交流電圧を印加することにより、第１の液体貯蔵部１４内の液体を振動させて霧を発生させる。なお、第１の液体貯蔵部１４内には、第１の液体貯蔵部１４内の液体の量を検知する水量センサが設置される。
【００２９】  第１の液体貯蔵部１４及び後述する第２の液体貯蔵部１６に貯蔵する液体としては水の他、種々の液体を用いることができる。液体は香水又は薬剤を含んでいてもよい。ここで、薬剤には、医薬用の薬剤の他、消臭剤、芳香剤などのような非医薬用の薬剤が含まれる。液体に香水、消臭剤又は芳香剤を含ませることにより、体臭や汗のにおいを抑えることができる。また、液体に医薬用の薬剤を含ませることにより、虫刺され防止、疾患（例えば、皮膚疾患）の治療、予防及びかゆみ・苦痛の軽減が可能となる。
【００３０】  第１の液体貯蔵部１４は、第１の液体貯蔵部１４に液体を注入するための液体注入口４２を備えている。この液体注入口４２を介して液体を補充する。
【００３１】  また、図８及び図９に示すように、服内環境冷却装置１の本体と一体的に形成された第１の液体貯蔵部１４とは別に、服内環境冷却装置１の本体からは独立し、第１の液体貯蔵部１４より容積が大きい第２の液体貯蔵部１６と、第１の液体貯蔵部１４と第２の液体貯蔵部１６を連結して、第２の液体貯蔵部１６から第１の液体貯蔵部１４に液体を輸送するための液体輸送管１７とを設けるようにしてもよい。第２の液体貯蔵部１６は例えば、衣服Ｃの胸ポケットに収納し、胸ポケットに設けられた孔から液体輸送管１７を通して、液体輸送管１７で第２の液体貯蔵部１６の下部と第１の液体貯蔵部１４を連結する。第２の液体貯蔵部１６を第１の液体貯蔵部１４より上方に配置することにより、ポンプ等を利用することなく、重力を利用して第２の液体貯蔵部１６の液体を第１の液体貯蔵部１４に供給することが可能となる。
【００３２】  このような構造によれば、液体の貯蔵量が多くなるので、服内環境冷却装置１を長時間使用した場合であっても、服内環境冷却装置１に頻繁に液体を補充する必要がない。
【００３３】  また、服内環境冷却装置１は、空気排出口１２の近傍に、空気排出口１２から排出された空気流の方向を変えるラッパ状の分流板５１を備えている。このようなラッパ状の分流板５１を備えることにより、空気排出口１２から排出された空気流をより効率的に衣服内空間Ｓに放射状で分散させることができる。
【００３４】  分流板５１は、霧発生手段１５の霧発生面と対向する位置まで延伸されていることが好ましい。
【００３５】  服内環境冷却装置１は、服内環境冷却装置１を衣服のベルトに引っ掛けるための、下方に向けて開口を有するフック状のベルト装着用部材５２を備えていてもよい。
【００３６】  なお、服内環境冷却装置１の電源は、服内環境冷却装置１の本体に設けてもよいが、図８に示したように、服内環境冷却装置１の本体とは別に電池ユニット６などの電源を設けるようにしてもよい。服内環境冷却装置１は、ユーザが電源スイッチ６１を操作することにより服内環境冷却装置１のオン／オフが切り替えられ、ファン１３、霧発生手段１５、各種センサ及び制御基板などに電源が供給される。
【００３７】  また、制御基板には、スマートフォンＳＰなどの通信端末と通信するための通信手段としてのアンテナ及び送受信回路と、通信手段により入力された制御信号等に基づき、ファン１３及び霧発生手段１５などの動作を制御する制御手段としてのＭＰＵが設置されている。ユーザは、スマートフォンＳＰにインストールされたアプリを操作することにより、服内環境冷却装置１のファン１３及び霧発生手段１５などの動作を制御することができる。
【００３８】  服内環境冷却装置１では、ファン１３により、衣服Ｃの外部に配置された空気取込口１１から外部の空気を取り込み、衣服Ｃと該衣服Ｃを装着した人体の間の衣服内空間Ｓに配置された空気排出口１２から該衣服内空間Ｓに空気を排出して、空気取込口１１から空気排出口１２に向かう空気流を生成する。そして、霧発生手段１５により、第１の液体貯蔵部１４に貯蔵された液体を使って霧を発生させ、空気流に霧を供給する。そして、衣服内空間Ｓで霧を気化させることにより、その気化熱で衣服内空間Ｓの温度を冷却する。
【００３９】  次に、服内環境冷却装置１の衣服Ｃへの取付方法について説明する。図１０では、ファン１３が収納された第１の部材３と、第１の液体貯蔵部１４、霧発生手段１５及び制御基板等が収納された第２の部材４と、分流板５１及びベルト装着用部材５２を含む第３の部材５を組み立てることによって服内環境冷却装置１を構成した例を示している。図１１及び図１２に示すように、第１の部材３は、円筒状部３１と該円筒状部３１の一方の端部に形成された該円筒状部３１の直径より外径が大きいつば部３２とを有する本体部３３と、該本体部３３に挿入されるリング状部材３４とを備えている。リング状部材３４は、円筒状部３１に嵌合できるようにリング状部材３４の内径が円筒状部３１の直径よりわずかに大きくなるように形成されている。また、リング状部材３４の外径はつば部３２の外径と同じになるように形成されており、リング状部材３４とつば部３２の外縁には、互いに対向するように突出部３５，３６が上述した第１の位置Ｘから第２の位置Ｙまで延びている。本体部３３とリング状部材３４は、例えば、接着剤又は超音波融着手段などで接合され、接合された状態で対向する突出部３５，３６が間隔を有することによりテープ挿通部２１が確保される。
【００４０】  本体部３３とリング状部材３４が接合された状態で、図５に示すように、線ファスナー８の蝶棒８４を第１の部材３の溝部２に挿通する。そして、図１３に示すように、線ファスナー８の両端において、蝶棒８４をスライダー８３と箱８５に挿入し、スライダー８３を操作して線ファスナー８を閉じる。
【００４１】  第２の部材４は、第１の部材３の円筒状部３１の嵌合する孔部４３を備えており、図１４に示すように第２の部材４を第１の部材３の円筒状部３１に嵌合し、更に第２の部材４を第１の部材３の円筒状部３１に嵌合させた状態で、引手８３ａの孔８３ｂを突起部４１に固定する。
【００４２】  また、第１の部材３はファン１３の軸部分に嵌合突起３７が形成されており、該嵌合突起３７が第３の部材５の分流板５１の、先端が広がっていない側の端部に嵌合され、服内環境冷却装置１が衣服Ｃに取り付けられる。
【００４３】  なお、本実施形態のように、第２の部材４を第１の部材３の円筒状部３１に嵌合して、服内環境冷却装置１を組み立てる構造にすれば、第１の部材３と第２の部材４で衣服Ｃを挟み込むことができるため、図１４に示すように、従来の線ファスナーを利用しない服内環境冷却装置が取り付けられる、開口１００を設けただけの衣服Ｃ’にも本願の服内環境冷却装置１を取り付けることが可能となり、従来の服内環境冷却装置用の衣服Ｃ’との互換性が確保できるため、本発明の服内環境冷却装置の普及に有利である。
【符号の説明】
【００４４】１  服内環境冷却装置
２  溝部
３  第１の部材
４  第２の部材
５  第３の部材
８  線ファスナー
１１  空気取込口
１２  空気排出口
１３  ファン（気流発生手段）
１４  第１の液体貯蔵部
１５  霧発生手段
１６  第２の液体貯蔵部
１７  液体輸送管
２１  テープ挿通部
２２  務歯挿通部
４１  突起部
４２  液体注入口
５１  分流板
５２  ベルト装着用部材
８１  テープ
８２  務歯
８３  スライダー
８３ａ  引手
８３ｂ  引手に設けられた孔
８４  蝶棒
８５  箱
Ｃ  衣服
Ｈ  人体
Ｓ  衣服内空間
Ｔ  テープ８１の厚さ
Ｗ１  テープ挿通部の幅
Ｗ２  務歯８２の幅
Ｗ３  務歯挿通部の幅
Ｘ  第１の位置
Ｙ  第２の位置
【図１】
2019151960.tif 000003
【図２】
2019151960.tif 000004
【図３】
2019151960.tif 000005
【図４】
2019151960.tif 000006
【図５】
2019151960.tif 000007
【図６】
2019151960.tif 000008
【図７】
2019151960.tif 000009
【図８】
2019151960.tif 000010
【図９】
2019151960.tif 000011
【図１０】
2019151960.tif 000012
【図１１】
2019151960.tif 000013
【図１２】
2019151960.tif 000014
【図１３】
2019151960.tif 000015
【図１４】
2019151960.tif 000016
【図１５】
2019151960.tif 000017
【図１６】
2019151960.tif 000018
【図１７】
2019151960.tif 000019